(57)【要約】【課題】人のペニスを身体の動きに連動してエキスパンダー様に伸縮運動を可能にし、用便時に該器具をペニスから外す必要がない自在ストレッチ式連動ペニス運動器具を提供する。【解決手段】身体に巻くベルト１に接続部品２を設け、そこに前記接続部品２に接続できる接続部品３を備えた柔軟性かつ牽引性、弾力性機能を有する部品１１０に接続し、これに接続部品２を備えた延長コード４を接続し、接続部品３を備えたより戻し５を接続し、これに、接続部品２を備える紐６をチューブ７に貫通させ、チューブ部分を亀頭溝に装着し、コードストッパー８を用いて紐を集合させるペニス亀頭部分固定器具１２０に接続した自在ストレッチ式連動ペニス運動器具１５０が従来器具より進歩し欠点、弱点を解決する。 【選択図】図１
2020146543.tif 000002
【特許請求の範囲】
【請求項１】
使用者の身体（１００）に巻き付けることができるベルト（１）に取り外しができる接続部品（２）を設けて、そこに前記接続部品（２）に接続できる接続部品（３）を両端に備えた牽引性、弾力性機能を有する部品（１１０）に接続し、これに接続部品（２）を両端に備えた延長コード（４）を接続し、さらに取り外しができる接続部品（３）を両端に備えたより戻し（５）を接続して設け、これに前記接続部品（２）を備える紐（６）をチューブ（７）に貫通させて、チューブの部分を亀頭溝（１４０）に巻くように装着し、コードストッパー（８）を用いて紐を集合させて、紐の長さ、亀頭の締め付け具合を調節できるペニス亀頭部分を固定する器具（１２０）に接続した身体の関節の動きに連動して自在にペニスの動的ストレッチ及び静的ストレッチを可能とするところを特徴とする自在ストレッチ式連動ペニス運動器具
【請求項２】
前記、ベルト（１）がワンタッチで脱着できるところを特徴とする請求項１記載の自在ストレッチ式連動ペニス運動器具
【請求項３】
前記、ベルト（１）が使用者の身体に合わせて長さの調節ができるところを特徴とする請求項１記載の自在ストレッチ式連動ペニス運動器具
【請求項４】
前記、ベルト（１）が使用者の汗を吸収しやすい素材であることを特徴とする請求項１記載の自在ストレッチ式連動ペニス運動器具
【請求項５】
前記、ベルト（１）が外部デバイスにワンタッチで取り付け、取り外しができる接続部品を備えるところを特徴とする請求項１記載の自在ストレッチ式連動ペニス運動器具
【請求項６】
前記、接続部品（２）がワンタッチで取り付け、取り外しができるところを特徴とする請求項１記載の自在ストレッチ式連動ペニス運動器具
【請求項７】
前記、接続部品（２）がワンタッチで取り付け、取り外しができ、より戻しの機能を有するところを特徴とする請求項１記載の自在ストレッチ式連動ペニス運動器具
【請求項８】
前記、接続部品（３）がワンタッチで取り付け、取り外しができるところを特徴とする請求項１記載の自在ストレッチ式連動ペニス運動器具
【請求項９】
前記、接続部品（３）がワンタッチで取り付け、取り外しができ、より戻しの機能を有するところを特徴とする請求項１記載の自在ストレッチ式連動ペニス運動器具
【請求項１０】
前記、接続部品（３）が牽引性、或いは弾力性機能を有する部品（１１０）に搭載するところを特徴とする請求項１記載の自在ストレッチ式連動ペニス運動器具
【請求項１１】
前記、延長コード（４）を接続するにより使用者の身体のどの部分にでもベルト（１）を巻き付けることができるところを特徴とする請求項１記載の自在ストレッチ式連動ペニス運動器具
【請求項１２】
前記、延長コード（４）が長さの調節を可能とするところを特徴とする請求項１記載の自在ストレッチ式連動ペニス運動器具
【請求項１３】
前記、より戻し（５）がペニス（１３０）を自由に回転できるようにしたところを特徴とする請求項１記載の自在ストレッチ式連動ペニス運動器具
【請求項１４】
前記、より戻し（５）が両側にワンタッチで取り付け、取り外しができる接続部品（３）を有するところを特徴とする請求項１記載の自在ストレッチ式連動ペニス運動器具
【請求項１５】
前記、紐（６）がワンタッチで取り付け、取り外しができる接続部品を備えているところを特徴とする請求項１記載の自在ストレッチ式連動ペニス運動器具
【請求項１６】
前記、紐（６）先端がレースパイプ加工したところを特徴とする請求項１記載の自在ストレッチ式連動ペニス運動器具
【請求項１７】
前記、紐（６）が耐水性であるところを特徴とする請求項１記載の自在ストレッチ式連動ペニス運動器具
【請求項１８】
前記、紐（６）が楕円型であるところを特徴とする請求項１記載の自在ストレッチ式連動ペニス運動器具
【請求項１９】
前記、紐（６）が平紐であるところを特徴とする請求項１記載の自在ストレッチ式連動ペニス運動器具
【請求項２０】
前記、紐（６）が丸紐であるところを特徴とする請求項１記載の自在ストレッチ式連動ペニス運動器具
【請求項２１】
前記、紐（６）の表面が凹凸であるところを特徴とする請求項１記載の自在ストレッチ式連動ペニス運動器具
【請求項２２】
前記、チューブ（７）がシリコン製であるところを特徴とする請求項１記載の自在ストレッチ式連動ペニス運動器具
【請求項２３】
前記、チューブ（７）がゴム製であるところを特徴とする請求項１記載の自在ストレッチ式連動ペニス運動器具
【請求項２４】
前記、チューブ（７）がスポンジ製であるところを特徴とする請求項１記載の自在ストレッチ式連動ペニス運動器具
【請求項２５】
前記、チューブ（７）が綿製であるところを特徴とする請求項１記載の自在ストレッチ式連動ペニス運動器具
【請求項２６】
前記、チューブ（７）が円筒形であり、貫通する紐（６）の周りで回転することで過剰な牽引力がかかる際には自動ではずれるところを特徴とする請求項１記載の自在ストレッチ式連動ペニス運動器具
【請求項２７】
前記、コードストッパー（８）が紐（６）を集合させて、紐の長さ、亀頭の締め付け具合を調節できるペニス亀頭部分を固定する器具（１２０）であるところを特徴とする請求項１記載の自在ストレッチ式連動ペニス運動器具
【請求項２８】
前記、コードストッパー（８）が紐（６）を集合させて、過剰な牽引力がかかる際には自動ではずれるペニス亀頭部分を固定する器具（１２０）であるところを特徴とする請求項１記載の自在ストレッチ式連動ペニス運動器具
【請求項２９】
前記、部品（１１０）が柔軟性かつ牽引性、弾力性機能を有するスプリングであることを特徴とする請求項１ないし請求項２７のいずれかに記載の自在ストレッチ式連動ペニス運
動器具
【請求項３０】
前記、部品（１１０）が柔軟性かつ牽引性、弾力性機能を有するダンパーであることを特徴とする請求項１ないし請求項２７のいずれかに記載の自在ストレッチ式連動ペニス運動器具
【請求項３１】
前記、部品（１１０）が柔軟性かつ牽引性、弾力性機能を有するダンパーであることを特徴とする請求項１ないし請求項２７のいずれかに記載の自在ストレッチ式連動ペニス運動器具
【請求項３２】
前記、部品（１１０）がゼンマイ式牽引器具であることを特徴とする請求項１ないし請求項２７のいずれかに記載の自在ストレッチ式連動ペニス運動器具
【請求項３３】
前記、部品（１１０）がスプリングバランサーであることを特徴とする請求項１ないし請求項２７のいずれかに記載の自在ストレッチ式連動ペニス運動器具
【請求項３４】
前記、部品（１１０）が振動発生する機器であることを特徴とする請求項１ないし請求項２７のいずれかに記載の自在ストレッチ式連動ペニス運動器具
【請求項３５】
前記、部品（１１０）が柔軟性かつ牽引性、弾力性を有する材料であることを特徴とする請求項１ないし請求項２７のいずれかに記載の自在ストレッチ式連動ペニス運動器具
【発明の詳細な説明】
【技術分野】
【０００１】
本考案は、人の陰茎部分であるペニスの亀頭側を保持しつつ、自己身体の動きに連動して陰茎体を痛み無くエキスパンダーのような伸縮運動を継続して行なうことができるものであって、使用者の身体に巻き付けることができるベルトに取り外しができる接続部品を設けて、柔軟性かつ牽引性、弾力性を有する部品を設けて接続し、そこにペニスの回転運動やペニスの捩れ防止のために、より戻しを設けて接続し、さらに用便時にペニスから該運動機器全体を取り外す必要がないペニス亀頭部分を固定する器具を設けた自在ストレッチ式連動ペニス運動器具に関するものである。
【背景技術】
【０００２】
男性は加齢により精力が減退し勃起力も衰えてゆくものである。しかし性的な老化現象を異性に馬鹿にされ、それが原因で男性としての性的機能のみならず精神的に不安定となり本来男性として備え持つ積極性を失うだけでなく気力や生きてゆく意味を喪失してしまうことも少なくない。このような状況が長期間改善されることなく続けば男女間において不倫や離婚といった問題にも発展するおそれがある。また、ペニスのサイズやペニスの能力を理由に異性から拒絶されたり否定されることは男性として極めて不愉快であり、自己のペニスについて異性から指摘を受けた男性は再起不能に陥る可能性が極めて高い。  
【０００３】
そこで従来からペニスの勃起力やサイズを向上させるためにサプリメント、薬剤、器具類を用いる手段がとられている。サプリメント、薬剤には飲用と塗布用などがあり、先行する器具としてはペニスを一定の牽引力で静的に固定する形式のものは（特許文献１ないし特許文献９）などであり、ペニスを吸引する形式のものは（特許文献１０ないし特許文献１３）などがある。
【先行技術文献】
【特許文献】
【０００４】
【特許文献１】特開２０１４−４４７
【特許文献２】特開２０１０−１０４４７０
【特許文献３】特開２００９−２４０４６１
【特許文献４】特表２０１１−５２６５０３
【特許文献５】特表２００９−５１５６４３
【特許文献６】特表２００１−５１９２０６
【特許文献７】特開２００７−４４４５７
【特許文献８】実用新案登録第３０８２９１７号
【特許文献９】実用新案登録第３０８２９１６号
【特許文献１０】特開平５−１３１００９
【特許文献１１】特開平８−１６４１５１
【特許文献１２】特表２００２−５１２０８０
【特許文献１３】特表２００２−５０５１５４
【発明の概要】
【発明が解決しようとする課題】
【０００５】
従来技術の中で、薬剤を飲用するものは継続使用をしないと効果が体感できない不利があり、塗布用の薬剤は皮膚に違和感があり、体質によっては皮膚炎を起こすおそれがある。
【０００６】
ペニス吸引式の器具は即効性はあるもののペニスが増大しているのは吸引力による吸引時であり持続性がなく、長時間吸引すればペニスが腫れたり、水膨れを起こし強制的に吸引をするため体に変調をきたすことにもなりかねない。
【０００７】
ペニスを一定の牽引力で静的に固定する形式の器具は、ペニスを静的に牽引した状態がペニスの血流を低下させ、ペニスがもつ身体機能でもあるペニスの収縮に逆らい続け、ペニスに痛みを感じ長時間使用することができなかった。
【０００８】
器具自体の大きさが原因で外出時に使用することが不便であり、衣服を着用した場合外観を不自然にしていた。また、器具に重量があり異物感を感じ歩行姿勢を不自然にしていた。
【０００９】
大小便共に用便の際は器具をペニスから脱着する必要があり極めて不便であった。
【課題を解決するための手段】
【００１０】
本考案はこのような従来の諸事情も含めて考慮してなされたもので、ペニスの収縮に対して柔軟性かつ牽引性、弾力性機能を有する部品を経由して自己の体の動きに連動して、回転を含めた自在ストレッチ運動を可能とし、収縮しようとするペニスを引き出したり戻したりするエキスパンダー様の伸縮トレーニングを快適に行うことができ、動的なストレッチ効果により血流低下や静的な牽引のような痛みはなく自己の体勢でも自在に牽引力の強弱を調節することでき、他方の運動と併用することで新規性のペニスストレッチ運動を実現する。
【００１１】
本器具の大きさや重量が従来の器具に比べてコンパクトであることから器具の装着時間増加やペニスの運動行為を基本的生活習慣に組み込むことができる。また、外出先での用便の際は本器具全体を取り外す必要がなく、洋式便器ではなく男子便器で用を足すことができる。
【００１２】
本器具はペニスへの取り付け取り外しが極めて容易であり、然も器具使用中に用便をする際には特段該器具全体を取り外す必要がなく、ワンタッチで亀頭部分を固定する器具を本体から外すことができ、亀頭溝から亀頭部分を固定する器具を外すことなく用を足すことが可能である。
【００１３】
本器具は産業的に量産可能な部品で構成できるため使用者に対して安全かつ安価で器具を提供しようとするものである。
【００１４】
そこで本考案においては、使用者の身体（１００）に巻き付けることができるベルト（１）に取り外しができる接続部品（２）を設けて、そこに前記接続部品（２）に接続できる接続部品（３）を両端に備えた柔軟性かつ牽引性、弾力性機能を有する部品（１１０）に接続し、これに接続部品（２）を両端に備えた延長コード（４）を接続し、さらに取り外しができる接続部品（３）を両端に備えたより戻し（５）を接続して設け、これに前記接続部品（２）を備える紐（６）をチューブ（７）に貫通させて、チューブの部分を亀頭溝（１４０）に巻くように装着し、コードストッパー（８）を用いて紐を集合させて、紐の長さ、亀頭の締め付け具合を調節できるペニス亀頭部分を固定する器具（１２０）に接続して身体の動きに連動して自在に回転を含めたペニスの動的ストレッチ及び静的ストレッチが可能になり前述の欠点及び弱点を解決しようとするものである。
【発明の効果】
【００１５】
本考案は上述のように構成したから、例えばウォーキングのように使用者自ら身体を動かすことによりペニスも連動して回転を含むストレッチ運動を行なうことができ、器具の構造から衣類を着用して積極的に外出での使用が可能であり、外出時に用便をする際も器具を身体から外す必要がなくなった。また、ペニスの伸縮運動を自分自身の動きに連動してストレッチするため静的な牽引によるストレスや痛みがなく、本器具を継続使用することでペニスの活力改善、ペニスの長さを増加、ペニスの太さを増加、男性特有の精神疾患の改善、閉鎖的な生活習慣病の改善、スポーツ機能向上などが期待できるものである。
【図面の簡単な説明】
【００１６】
【図１】自在ストレッチ式連動ペニス運動器具（１５０）の代表図面
【図２】ペニス亀頭部分を固定する器具（１２０）の拡大図面
【図３】ペニス亀頭部分を固定する器具（１２０）の使用例ペニス裏側図面
【図４】ペニス亀頭部分を固定する器具（１２０）の使用例ペニス表側図面
【図５】牽引性、弾力性機能を有する部品（１１０）のダンパー図面
【図６】牽引性、弾力性機能を有する部品（１１０）のスプリング図面
【図７】ベルト（１）の推奨する取り付け位置例の図面
【発明を実施するための形態】
【実施例１】
【００１７】
本考案の自在ストレッチ式連動ペニス運動器具ではペニス亀頭溝部分に簡易にペニス固定器具を取り付けることができ,ワンタッチでコードストッパーによりペニスの締め付け具合を調節することができる。ペニス固定器具はチューブと紐及び接続部品から構成されており締め付け具合以外に紐の長さの微調節も可能である。
【００１８】
ペニス固定器具と、より戻し、延長コード、牽引性、弾力性機能を有する部品、身体を固定するベルトとは独立させることが可能であり、用便或いは
必要に応じて取り外すことができる。身体の固定位置に合わせて長さを延長させたり、不要な部品は取り外して使用することも可能である。
【００１９】
図面を参照して本考案を説明すると、図１のベルト（１）は，図７のＣのように身体のどこにでも固定することができるようにサイズの区分は、大或いは小のように必要である。ベルト自体の長さ調節はコキカン様の部品で十分であり極端に大きいものでなければ他方の調節器具でも問題はない。ベルト（１）はワンタッチで取り外すことができる接続部品で連結できるタイプが望ましい。またベルト（１）は汗を吸収しやすい素材であるほうが好ましく、必ずしも吸収しやすい素材である必要はない。
【００２０】
接続部品（２）及び（３）はワンタッチで取り外せる接続部部品であればよく最低でも５キログラムの牽引力に耐える接続部品が好ましい。また、接続部品（２）及び（３）により戻しの機能を有するタイプも部品として実在するので有効である。
【００２１】
延長コード（４）はベルト（１）を身体のどの部分にでも取り付けることができるように延長するものであって、コードを延長するための長さ調節部品は他方において多種発明、考案されているからそれらを採用しても差し支えはない。ただし、該長さ調節部品を搭載したコードは最低でも５キログラムの牽引力でも動じないものが好ましい。
【００２２】
より戻し（５）はペニス亀頭部分を固定する器具（１２０）からベルト（１）の間で無用な捩れをより戻すことを目的としているほか、本器具を使用して、例えばウォーキングやマラソンなどを併用した場合、ペニスが一定のストローク様のストレッチ運動を行ないながら左右に半回転する回転運動ができることを目的としており、回転が必要でないストレッチ運動の際にはワンタッチで取り外すことも可能である。
【００２３】
紐（６）は外部デバイスとワンタッチで取り外すことができるように接続部品（２）を設けており、耐水性に優れ、表面が凹凸状であることが好ましい。該紐はチューブ（７）の内側空洞に通す必要があり、さらにコードストッパー（８）にも通す必要がるため紐先にレースパイプ加工を施すことが好ましい。また、紐の形状は複数のタイプが存在し、特段チューブ（７）に対応する紐であれば良いが試験の結果、楕円型、平紐、丸紐が好ましい。
【００２４】
チューブ（７）は亀頭溝（１４０）に巻きつけるように使用し、亀頭部分を激しく伸縮しても外れることはなく、一定の牽引力を超えると自動で外れることを特徴としている。本考案の運動器具は単にペニスを牽引するものではなく、ストローク様の伸縮動作を繰り返し行なう運動器具であるから動的な牽引に対応し、さらに使用者が過剰な姿勢をした際には該チューブがペニスから自動で外れる必要がある。前述の内容を考慮した結果、チューブ（７）のサイズは使用者のペニスのサイズにもよるが、外径５ミリから８ミリが好ましく、内径は、紐（６）を貫通させ、該紐の周りでチューブが回転する必要があるから３ミリ以上が望ましい。素材は試験の結果、シリコン製、ゴム製、スポンジ製、綿製などが好ましい。
【００２５】
コードストッパー（８）は多種多様のものが発明、考案され使途に合わせて広義に選択できる状況にある。そこで本考案においては紐（６）に対応する規格のものであれば良く、特段強力にコードをストップさせる必要はない。紐（６）により亀頭溝部分の締め付け具合の調節や、過剰な牽引力に対するリミッター効果は単に該コードストッパーの数を直列に増減すれば解決する。また該コードストッパーの材質はプラスチックや樹脂系のものが望ましく、錆を発生するようなものは不向きであり金属アレルギーなどの懸念もある。
【００２６】
部品（１１０）は柔軟性かつ牽引性、弾力性機能を有するものであって本考案の使途に適する大きさである部品であれば良く、試験の結果推奨はゴム様の材料、スプリング、ダンパー、ゼンマイ式牽引器具、スプリングバランサー、などである。スプリングは所謂エキスパンダー様の特徴がありスプリング特有の引き具合を体感できる。ダンパーは小型の模型用のものが有能かつ安価であり油圧式、エア式、ガス式など各種ダンパーにより引き具合を体感できる。ゼンマイ式牽引器具及びスプリングバランサーは牽引力の引き具合を調節することが可能であり特異な引き具合を体感できる。また、ストレッチ時或いはストレッチ後のペニスを疲労回復させるために振動発生する機器を使用することが効果的である。
【実施例２】
【００２７】
本考案の、自在ストレッチ式連動ペニス運動器具は考案名のように自在にストレッチを可能として、自己の身体と連動してペニスを運動できる器具である。再三試験を行なった結果、快適に長期間継続して使用することができた。また従来器具では不便であった部分も解消されたことも含めて、本器具を使用することにより新規性のあるストレッチ式ペニス運動が実現した。
【００２８】
実施にあたり、特段下着を脱ぐ必要はなく、下着からペニスを出してペニス亀頭部分を固定する器具を装着できる。また、身体固定ベルトは簡易に取り付けることができ、外出先でも外す必要はなく、該運動器具を使用中外観に不自然さは皆無である。
【００２９】
自在ストレッチ式連動ペニス運動器具はスポーツ行為全般を併用することで効率よくペニスをストレッチできるほか、精神力維持にも効果が期待でき、特に自転車、マラソン、ウォーキングは推奨できる。
【００３０】
自在ストレッチ式連動ペニス運動器具は普段の歩行や階段の昇り降りにも快適に使用することができ、用便の際に該運動器具全体を脱着する必要がないことから男子便器で用を足すことができる。
【００３１】
自在ストレッチ式連動ペニス運動器具は個人宅などでの入浴時、温度差を応用したストレッチが可能であり温水の浴槽内でストレッチを行い、冷水環境にてストレッチを継続させることができる。
【００３２】
自在ストレッチ式連動ペニス運動器具は衛生上定期的に洗浄或いは部品の交換が必要であるが、各部品は安価で提供できることから継続して使用することが可能である。
【産業上の利用可能性】
【００３３】
従来のペニス運動に係る器具と比較して上述の通り生活の習慣に取り入れやすく、ペニスのストレッチ運動により事実多数の効果が期待できることから使用者本人が継続して使用する可能性が極めて高い。また量産可能な部品で構成できるため使用者に対して安全かつ安価で器具を提供することが可能であり、本器具を使用することで性に係る男女間のトラブルを軽減できる可能性もあることから産業に貢献できる自在ストレッチ式連動ペニス運動器具を提供する。
【符号の説明】
【００３４】
（１）ベルト
（２）取り外しができる接続部品
（３）（２）に接続できる接続部品
（４）延長コード
（５）より戻し
（６）紐
（７）チューブ
（８）コードストッパー
（１００）使用者の身体
（１１０）柔軟性かつ牽引性、弾力性機能を有する部品
（１２０）ペニス亀頭部分を固定する器具
（１３０）ペニス
（１４０）亀頭溝
（１５０）自在ストレッチ式連動ペニス運動器具
A  ダンパー
B  スプリング
C  ベルト（１）の装着位置
【図１】
2020146543.tif 000003
【図２】
2020146543.tif 000004
【図３】
2020146543.tif 000005
【図４】
2020146543.tif 000006
【図５】
2020146543.tif 000007
【図６】
2020146543.tif 000008
【図７】
2020146543.tif 000009